(57)【要約】  配水管で接続された複数の熱源機器の少なくともいずれかを用いて構成される複数系統の熱源システムの管理装置（１Ａ，１Ｂ）は制御情報生成部（２０５）を備える。制御情報生成部（２０５）は、予め設定された複数のシステム構成パターン情報のいずれかが指定されると、複数系統の熱源システムを該当する構成にするための制御情報を生成する。また、熱源システムの系統ごとに、予め設定された複数の運転パターン情報のいずれかが指定されると、各系統の熱源システム内の機器を該当する運転パターン情報に従って運転させるための制御情報を生成する。
2020116190.tif 000002
【特許請求の範囲】
【請求項１】
配水管で接続された複数の熱源機器の少なくともいずれかを用いて構成される複数系統の熱源システムの管理装置であって、
予め設定された、前記複数系統の熱源システムの構成に関する複数のシステム構成パターン情報、および、前記熱源システムの系統ごとの複数の運転パターン情報を記憶する設定情報記憶部と、
前記設定情報記憶部に記憶された複数のシステム構成パターン情報のいずれかが指定されると、前記複数系統の熱源システムを当該システム構成パターン情報で示される構成にするための制御情報を生成し、前記熱源システムの系統ごとに、該当する複数の運転パターン情報のいずれかが指定されると、各系統の熱源システム内の機器を該当する運転パターン情報に従って運転させるための制御情報を生成する制御情報生成部とを備えることを特徴とする熱源システムの管理装置。
【請求項２】
前記複数系統の熱源システムの構成は、前記配水管内に設置された複数の切替バルブの開閉状態を切り替えることで変更されることを特徴とする請求項１に記載の熱源システムの管理装置。
【請求項３】
前記設定情報記憶部に記憶される前記複数のシステム構成パターン情報にはそれぞれ、該当する構成で前記複数の熱源システムが稼働するときに管理対象の負荷機器により提供される機能を示す名称情報が付加され、前記複数の運転パターン情報にはそれぞれ、該当する運転パターンで該当する負荷機器が稼働するときに当該負荷機器により提供される機能を示す名称情報が付加されることを特徴とする請求項１または２に記載の熱源システムの管理装置。
【請求項４】
前記設定情報記憶部は、前記システム構成パターン情報および前記運転パターン情報の適用スケジュールが設定されたスケジュール情報を記憶し、
前記制御情報生成部は、前記設定情報記憶部に記憶された適用スケジュールに従って、前記複数系統の熱源システムを該当するシステム構成パターンで示される構成にするための制御情報および各系統の熱源システム内の機器を該当する運転パターン情報に従って運転させるための制御情報を生成することを特徴とする請求項１〜３いずれか１項に記載の熱源システムの管理装置。
【請求項５】
前記設定情報記憶部に記憶されたシステム構成パターン情報、運転パターン情報、および現在日時から所定期間先までの適用スケジュール情報は、ユーザの操作により変更可能に設定されることを特徴とする請求項１〜４いずれか１項に記載の熱源システムの管理装置。
【請求項６】
配水管で接続された複数の熱源機器の少なくともいずれかを用いて構成される複数系統の熱源システムの管理装置が、
予め設定された、前記複数系統の熱源システムの構成に関する複数のシステム構成パターン情報、および、前記熱源システムの系統ごとの複数の運転パターン情報を記憶し、
記憶された複数のシステム構成パターン情報のいずれかが指定されると、前記複数系統の熱源システムを当該システム構成パターン情報で示される構成にするための制御情報を生成し、前記熱源システムの系統ごとに、該当する複数の運転パターン情報のいずれかが指定されると、各系統の熱源システム内の機器を該当する運転パターン情報に従って運転させるための制御情報を生成することを特徴とする熱源システムの管理方法。
【請求項７】
配水管で接続された複数の熱源機器の少なくともいずれかを用いて構成される複数系統の熱源システムの管理情報の表示方法であって、
予め設定された、前記複数系統の熱源システムの構成に関する時間帯ごとのシステム構成パターン情報、および、前記熱源システムの系統ごとおよび時間帯ごとの運転パターン情報を、同一時間軸上に並べて表示させることを特徴とする熱源システムの管理情報の表示方法。
【請求項８】
配水管で接続された複数の熱源機器の少なくともいずれかを用いて構成される複数系統の熱源システムの表示装置であって、
予め設定された、切替可能な前記複数系統の熱源システムの構成に関する時間帯ごとのシステム構成パターン情報、および、少なくとも運転モードおよびデマンド制御レベルを有する前記熱源システムの系統ごとおよび時間帯ごとの運転パターン情報を同一時間軸上に並べた管理画面を表示させる表示部を備えることを特徴とする熱源システムの表示装置。
【発明の詳細な説明】
【技術分野】
【０００１】
本発明の実施形態は、熱源システムの管理装置、熱源システムの管理方法、熱源システムの管理情報の表示方法、および、熱源システムの表示装置に関する。
【背景技術】
【０００２】
従来、工場や倉庫などの規模の大きい施設には、建屋ごとまたは設備ごとに構築された複数の系統の熱源システムが備えられ、各熱源システムから該当する系統内の空調機器等の負荷機器に温冷水が供給される。これらの各系統の熱源システム内には、温冷水を生成する多数の熱源機器が、配水管で接続されて設置されている。【０００３】
このような施設において、各系統の熱源システムで必要とする熱エネルギーは、季節等により大きく異なる。例えば、冷却専用系統の熱源システムでは夏場に多くの熱エネルギーを必要とし、加熱専用系統の熱源システムでは、冬場に多くの熱エネルギーを必要とする。そのため、当該施設内で、需要に応じて各系統に所属させる熱源機器の台数を適宜変更してシステムの機器構成を変更することで、効率よく必要な温冷水を供給することができる。
【先行技術文献】
【特許文献】
【０００４】
【特許文献１】特開２０１７−８３０５８号公報
【発明の概要】
【０００５】
上述したような規模の大きい施設では、設置される熱源機器の数が膨大であり、施設内の各系統に所属させる熱源機器を変更するには操作が煩雑になる。そのため、どの熱源機器をどの系統の熱源システムに所属させるかを予め設定したシステム構成パターンを複数（例えば８個）用意しておき、季節ごと等で管理者が適用するシステム構成パターンを変更することが行われている。
【０００６】
このように処理することにより、管理者は簡易な操作で施設内の各系統の熱源システムを季節に適した構成に変更することができるが、運転モードや設定温度、デマンド制御のＯＮ／ＯＦＦ、熱源種別ごとの運転優先順位など、具体的な運転制御内容に関してはやはり管理者が手動で変更する必要があり、処理が煩雑であるとともに設定間違いが発生する可能性が高くなるという問題があった。
【０００７】
発明は上記事情に鑑みてなされたものであり、複数系統の熱源システムを備えた施設内で、各熱源システムの構成および運転制御内容を、簡易な操作で変更可能な熱源システムの管理装置、熱源システムの管理方法、熱源システムの管理情報の表示方法、および、熱源システムの表示装置を提供することを目的とする。
【０００８】
上記目的を達成するために、実施形態に係る熱源システムの管理装置は、配水管で接続された複数の熱源機器の少なくともいずれかを用いて構成され、制御情報生成部を備える。制御情報生成部は、予め設定された複数のシステム構成パターン情報のいずれかが指定されると、複数系統の熱源システムを該当する構成にするための制御情報を生成する。また、熱源システムの系統ごとに、予め設定された複数の運転パターン情報のいずれかが指定されると、各系統の熱源システム内の機器を該当する運転パターン情報に従って運転させるための制御情報を生成する。
【図面の簡単な説明】
【０００９】
【図１】図１は、本発明の第１および第２実施形態に係る管理装置を用いた施設管理システムの構成を示す全体図である。
【図２】図２は、本発明の第１および第２実施形態に係る管理装置の構成を示すブロック図である。
【図３】図３（ａ）、（ｂ）は、本発明の第１実施形態に係る管理装置に記憶されるシステム構成パターン情報の一例である。
【図４】図４（ａ）、（ｂ）は、本発明の第１実施形態に係る管理装置に記憶される運転パターン情報の一例である。
【図５】図５は、本発明の第１および第２実施形態に係る管理装置を用いた施設管理システムの変更後の構成を示す全体図である。
【図６】図６は、本発明の第２実施形態に係る管理装置で表示されたマスタースケジュール情報内の所定月のカレンダー情報の一例を示す画面構成図である。
【図７】図７は、本発明の第２実施形態に係る管理装置で表示されたマスタースケジュール情報内の所定日の詳細スケジュール情報の一例を示す画面構成図である。
【図８】図８は、本発明の第２実施形態に係る管理装置で表示されたマスタースケジュール情報をそのシステムの管理画面内に表示させたときの一例を示す画面構成図である。
【発明を実施するための形態】
【００１０】
《第１実施形態》
本実施形態による熱源システムを用いた施設管理システム１Ａの構成について、図１を参照して説明する。本実施形態による施設管理システム１Ａは、管理対象の負荷機器ごとに設けられた複数の系統システムと、これらの各系統システムに接続された設備管理装置２００とを備える。本実施形態においては、施設管理システム１Ａ内には、第１系統システム１０と第２系統システム２０との２つの系統システムが設けられている。第１系統システム１０は負荷機器である冷却機器２１を有する冷却専用のシステムであり、第２系統システム２０は負荷機器である加熱機器２２を有する加熱専用のシステムである。
【００１１】
施設管理システム１Ａ内には、中継器としてのモジュールコントローラ（ＭＣ）が２台（第１ＭＣ１１Ａおよび第２ＭＣ１２Ａ）設置され、各ＭＣの配下にそれぞれ１６台の熱源機器が接続されて熱源システムが構築されている。具体的には、第１ＭＣ１１Ａには熱源機器１１−１〜１１−１６が接続され、第２ＭＣ１２Ａには熱源機器１２−１〜１２−１６が接続されている。第１ＭＣ１１Ａおよび第２ＭＣ１２Ａはそれぞれ、設備管理装置２００に接続されている。なお、ＭＣの数は２台に限られず、施設の規模等に応じて設定される。同様に、熱源機器も１６台に限られず、施設の規模等に応じて設定される。
【００１２】
また、施設管理システム１Ａ内には、各熱源機器１１−１〜１１−１６・・・１２−１〜１２−１６で生成された温冷水を冷却機器２１または加熱機器２２に送水する配水管である往水配管３１と、冷却機器２１または加熱機器２２で熱交換された水を熱源機器１１−１〜１１−１６・・・１２−１〜１２−１６に戻す配水管である還水配管３２とが設置されている。各熱源機器１１−１〜１１−１６・・・１２−１〜１２−１６は、熱交換により所定温度の温冷水を生成して該当する冷却機器２１または加熱機器２２に供給し、負荷機器からの還水を還水配管３２から取り込んで再び所定温度の水を生成する。
【００１３】
また、第１ＭＣ１１Ａに接続された熱源機器１１−１〜１１−１６のグループと、第２ＭＣ１２Ａに接続された熱源機器１２−１〜１２−１６のグループとの間の往水配管３１内には第１切替バルブ４１が設置され、同位置の還水配管３２内には第２切替バルブ４２が設置されている。また、第１ＭＣ１１Ａに接続された熱源機器１１−１〜１１−１６の中で、第２ＭＣ１２Ａに接続された熱源機器１２−１〜１２−１６のグループに隣接する１１個の熱源機器１１−６〜１１−１６と、隣接しない５個の熱源機器１１−１〜１１−５との間の往水配管３１内には第３切替バルブ４３が設置され、同位置の還水配管３２内には第４切替バルブ４４が設置されている。第１系統システム１０および第２系統システム２０の熱源システムはそれぞれ、配水管で接続された複数の熱源機器１１−１〜１１−１６および１２−１〜１２−１６の少なくともいずれかが、切替バルブ４１〜４４の開閉状態に基づいて接続されている。
【００１４】
設備管理装置２００は、図２に示すように、設定情報記憶部２０１と、入力部２０２と、表示情報生成部２０３と、表示部２０４と、制御情報生成部２０５と、通信部２０６とを有する。
【００１５】
設定情報記憶部２０１は、予め設定された、施設管理システム１Ａ内のシステム構成に関する複数のシステム構成パターン情報、および、施設管理システム１Ａ内の系統ごとに予め設定された、複数の運転パターン情報を記憶する。入力部２０２は、施設管理システム１Ａの管理者による操作情報を入力する。表示情報生成部２０３は、入力部２０２から入力された指示に従って、設定情報記憶部２０１に記憶された情報を用いた表示情報を生成する。表示部２０４は、表示情報生成部２０３で生成された表示情報を表示する。
【００１６】
制御情報生成部２０５は、設定情報記憶部２０１に記憶された情報、および入力部２０２から入力された情報に基づいて、管理者により指定されたシステム構成パターン情報で示される構成になるように、システム１Ａ内の切替バルブ４１〜４４の開閉を切り替えるための制御情報を生成する。また、制御情報生成部２０５は、管理者により系統システムごとに指定された運転パターン情報に従って、各系統システム内の機器を動作させるための制御情報を生成する。通信部２０６は、制御情報生成部２０５で生成された制御情報を、該当する機器に送信する。
【００１７】
なお、本実施形態では設備管理装置２００で制御信号を生成し該当する機器に制御信号を送信しているが、これに限らず別の制御装置から制御信号を送信し、設備管理装置２００は切替バルブ４１〜４４の切替状態を受信し、その情報を記憶する態様としてもよい。
【００１８】
本実施形態において、設備管理装置２００の設定情報記憶部２０１には、予め設定された、施設管理システム１Ａ内のシステム構成に関する８個のシステム構成パターン情報（第１システム構成パターン情報〜第８システム構成パターン情報）が記憶されている。
【００１９】
例えば、第１システム構成パターン情報として、図３（ａ）に示すように、第１ＭＣ１１Ａに接続された熱源機器１１−１〜１１−１６が第１系統に所属し、第２ＭＣ１２Ａに接続された熱源機器１２−１〜１２−１６が第２系統に所属する情報が記憶されている。また、第２システム構成パターンとして、図３（ｂ）に示すように、第１ＭＣ１１Ａに接続された熱源機器内の熱源機器１１−１〜１１−５が第１系統に所属し、熱源機器１１−６〜１１−１６および第２ＭＣ１２Ａに接続された熱源機器１２−１〜１２−１６が第２系統に所属する情報が記憶されている。
【００２０】
これらのシステム構成パターン情報にはそれぞれ、当該構成で当該熱源システムが稼働するときに、管理対象の負荷機器（冷却機器２１および加熱機器２２）に提供される機能を示す名称情報が付加されている。この名称情報としては例えば、「冷却優先」、「加熱優先」、「冷却加熱同時取り出し」等がある。
【００２１】
また、設定情報記憶部２０１には、予め、施設管理システム１Ａ内の第１系統システム１０および第２系統システム２０それぞれについて予め設定された、運転制御内容を示す複数の運転パターン情報が記憶されている。
【００２２】
例えば、第１系統システム１０の運転パターン情報として、図４（ａ）に示すように、第１−１運転パターン情報［運転モード「冷却」、設定温度「7.0℃」、デマンド制御レベル「0」］、第１−２運転パターン情報［運転モード「冷却」、設定温度「7.0℃」、デマンド制御レベル「1」］、第１−３運転パターン情報［運転モード「冷却」、設定温度「8.0℃」、デマンド制御レベル「2」］、第１−４運転パターン情報［運転モード「加熱」、設定温度「45.0℃」、デマンド制御レベル「0」］、第１−５運転パターン情報［運転モード「加熱」、設定温度「45.0℃」、デマンド制御レベル「1」］、第１−６運転パターン情報［運転モード「停止」、設定温度「7.0℃」、デマンド制御レベル「0」］、第１−７運転パターン情報［運転モード「停止」、設定温度「7.0℃」、デマンド制御レベル「0」］、第１−８運転パターン情報［運転モード「停止」、設定温度「7.0℃」、デマンド制御レベル「0」］が記憶されている。また、第２系統システム２０の運転パターン情報として、図４（ｂ）に示すように、第２−１運転パターン情報・・・第２−８運転パターン情報が記憶されている。
【００２３】
これらの運転パターン情報にはそれぞれ、該当する運転パターンで該当する負荷機器が稼働するときに当該負荷機器により提供される機能を示す名称情報が付加されている。この名称情報としては例えば、「冷却」、「加熱」、「省エネ」、「ガス機優先」等がある。
【００２４】
これらの情報が記憶された状態で、管理者の操作により、施設管理システム１Ａ内のシステム構成および各系統システム内の機器の運転制御内容が変更されるときに実行される処理について説明する。初期状態では、施設管理システム１Ａ内が第１システム構成パターン情報に基づいて構成されており、第１系統システム１０内の機器が第１−１運転パターン情報に基づいて制御され、第２系統システム２０内の機器が第２−１運転パターン情報に基づいて制御されている。第１システム構成パターン情報に基づいて構成されたシステム構成では、第１切替バルブ４１および第２切替バルブ４２が閉状態にされ、第３切替バルブ４３および第４切替バルブ４４が開状態にされることで、第１系統システム１０および第２系統システム２０にはそれぞれ１６台ずつの熱源機器が所属している。このとき、表示情報生成部２０３では、現在システム１Ａ内が、第１システム構成パターン情報に従って構成され、第１系統システム１０内の機器が第１−１運転パターン情報に基づいて制御され、第２系統システム２０内の機器が第２−１運転パターン情報に基づいて制御されていることを示す表示情報が生成され、表示部２０４に表示されている。このとき、第１システム構成パターン情報、第１−１運転パターン情報、および第２−１運転パターン情報の名称情報も併せて表示される。
【００２５】
そして、設備管理装置２００において、管理者により名称情報が参照されて施設管理システム１Ａ内のシステム構成を第２システム構成パターン情報に基づくシステム構成に変更するための操作が行われると、入力部２０２からその操作情報が入力される。
【００２６】
操作情報が入力されると、制御情報生成部２０５により、第１切替バルブ４１および第２切替バルブ４２を開状態にし、第３切替バルブ４３および第４切替バルブ４４を閉状態にするための制御情報が生成され、通信部２０６から各切替バルブ４１〜４４に送信される。各切替バルブ４１〜４４では、送信された制御情報に従って開閉状態が切り替えられる。
【００２７】
このように切替バルブ４１〜４４の開閉が切り替えられると、図５に示すように、第１系統システム１０に所属する熱源機器が、熱源機器１１−１〜１１−５の５台になるように変更され、第２系統システム２０に所属する熱源機器が、熱源機器１１−６〜１１−１６および熱源機器１２−１〜１２−１６の２７台になるように変更される。
【００２８】
また、管理者により、施設管理システム１Ａ内の第１系統システム１０内の機器の動作を、第１−１運転パターン情報に基づく制御から第１−２運転パターン情報に基づく制御に変更し、第２系統システム２０内の機器の動作を、第２−１運転パターン情報に基づく制御から第２−２運転パターン情報に基づく制御に変更するための操作が行われると、入力部２０２からこれらの操作情報が入力される。
【００２９】
操作情報が入力されると、制御情報生成部２０５により、第１系統システム１０内の機器を第１−２運転パターン情報に基づいて動作させるための制御情報が生成され、通信部２０６から該当する熱源機器に送信される。また、第２系統システム２０内の機器を第２−２運転パターン情報に基づいて動作させるための制御情報が生成され、通信部２０６から該当する熱源機器に送信される。各熱源機器では、送信された制御情報に従って運転が実行される。
【００３０】
以上の第１実施形態によれば、多数の熱源機器を有する複数系統の熱源システムを備えた施設内で、各熱源システムの構成および各熱源機器の運転制御内容を、管理人が簡易な操作で変更することができる。例えば、上述した第１実施形態では、変更の際に、８つのシステム構成パターンそれぞれに対し、各系統の運転制御内容を８つの運転パターンの中から選択することができ、様々な需要状態に対応して設定状態を簡易に変更することができる。
【００３１】
本実施形態においてシステム１Ａ内に構築された系統システムは２つであるが、さらに多数の系統システム（例えば３〜１６系統）を構築してもよい。その場合は、構築されたすべての系統に関し、それぞれ所定数（例えば８個）の運転パターン情報が予め記憶される。このような多数の系統システムが構築された施設管理システムに適用することで、さらに複雑な運転制御内容の操作を簡略化させることができる。
【００３２】
《第２実施形態》
上述した第１実施形態では、施設管理システム１Ａ内のシステム構成と運転制御内容が、管理人が指定したパターンに従って切り替えられる場合を示したが、第２実施形態では、予め設定されたスケジュール情報に従ってこれらが切り替えられる場合について説明する。
【００３３】
第２実施形態による施設管理システム１Ｂの構成は、第１実施形態で説明した施設管理システム１Ａの構成と同様であるため、同一機能を有する部分の詳細な説明は省略する。
【００３４】
本実施形態において設備管理装置２００の設定情報記憶部２０１には、１日の中における、システム構成および運転制御内容の適用スケジュールの適用パターンを示す複数のスケジュール情報が記憶されている。また、適用するスケジュール情報を日ごとに示したマスタースケジュール情報をさらに記憶する。制御情報生成部２０５は、設定情報記憶部２０１に記憶されたマスタースケジュール情報に従って、各系統内の機器を動作させるための制御情報を生成する。
【００３５】
本実施形態において、設備管理装置２００の設定情報記憶部２０１には、１日の中でのシステム構成および運転制御内容の適用スケジュールのパターンを示す複数のスケジュール情報が記憶されている。例えば、第１週間スケジュール情報（Ｗ１）として、システム構成は終日第１システム構成パターンを適用し、運転制御内容は、８時〜２０時までは第１系統は第１−２運転パターン情報、第２系統は第２−２運転パターン情報を適用し、それ以外の時間帯は、第１系統は第１−１運転パターン情報、第２系統は第２−１運転パターン情報を適用する情報が予め設定されて記憶されている。このようにして、第２週間スケジュール情報（Ｗ２）、第３週間スケジュール情報（Ｗ３）・・・、第１特異日スケジュール情報（Ｓ１）、第２特異日スケジュール情報（Ｓ２）が予め設定され、記憶されている。
【００３６】
そして、管理者の操作により、マスタースケジュール情報の生成処理を開始する操作が行われると、表示情報生成部２０３により月間カレンダーの表示情報が生成され、表示部２０４に表示される。管理者は、表示された月間カレンダー情報上で、どの日にどのスケジュール情報を適用するかを指定する操作を行う。同様にして、各月のカレンダー情報上でスケジュール情報を日ごとに指定する操作を行うことで、施設管理システム１Ｂのマスタースケジュール情報が生成される。生成されたマスタースケジュール情報の一例を、図６に示す。
【００３７】
図６は、マスタースケジュール情報の中の所定月のカレンダー情報を示しており、当該月の１日〜１９日には第１週間スケジュール情報（Ｗ１）を適用し、２０日には第２特異日スケジュール情報（Ｓ２）を適用し、２１日〜３１日には第２週間スケジュール情報（Ｗ２）を適用する情報が入力されたことが示されている。スケジュール情報の指定操作は、日ごとに行ってもよいし、一週間ごと、曜日ごと、または月ごとに一括して行ってもよい。
【００３８】
生成されたマスタースケジュール情報は、現在日時から先の所定期間、例えば１週間分に関しては、管理者により手動で変更可能となるように設定されている。このように設定されることにより、マスタースケジュール情報の生成時以降に予定が入ったイベント等により空調システムの稼働時間を変更したい場合等に対応することができる。
【００３９】
例えば、図６のカレンダー情報の中から、マスタースケジュール情報を変更したい日付「９月２１日」を指定することで、図７に示すような当該日の詳細スケジュール情報１４０が表示される。詳細スケジュール情報１４０は、最上段に帯状の日付表示部を有し、その下段に選択された日付と当該日の時間軸とを表示する日時表示部を備えている。さらにその下段には、日時表示部の時間軸に対応して、システム構成パターンの時間帯ごとの設定状態を示したシステム構成パターン表示部１４１、運転パターンの時間帯ごとの設定状態を示した運転パターン表示部１４２、時間帯ごとの温度設定状態を示した設定温度表示部１４３、およびデマンドレベルの時間帯ごとの設定状態を示したデマンドレベル表示部１４４が上下に順次並べて表示されており、時間軸に沿って推移する各項目の設定状態が１画面にて視認できるように表示されている。このように表示された当該詳細スケジュール情報１４０内の設定変更したい項目を選択して、設定内容の更操作を行うことができる。
【００４０】
このようにして生成されたマスタースケジュール情報が設定情報記憶部２０１に記憶されると、制御情報生成部２０５により、当該マスタースケジュール情報に基づいて施設管理システム１Ｂ内の各機器を動作させるための制御情報が生成される。具体的には、切替バルブ４１〜４４の開閉状態を切り替えるための制御情報、および各系統システムの熱源システム内の機器を該当する運転パターン情報に従って運転させるための制御情報が生成される。生成された制御情報は、通信部２０６を介して該当する機器に送信される。各機器では、設備管理装置２００から送信された制御情報に従って、動作が実行される。
【００４１】
また、図８に示すように、管理者の操作により表示される、施設管理システム１Ｂ内の熱源機器やＭＣに関する機器状態表示エリア１０５を有する管理画面１００内の下部に、詳細スケジュール情報の一部を示す簡易スケジュール表示エリア１５０を表示させるようにしてもよい。機器状態表示エリア１０５には、タブで指定された系統システム内に構築された配水管の構成の概略図が表示されて水の流れる方向が矢印で示されるとともに、配水管に接続された熱源機器グループごとの情報が、概略図の該当する位置に表示される。簡易スケジュール表示エリア１５０には、システム構成パターン表示部１５１と、その下方に配置された運転パターン表示部１５２とが表示される。
【００４２】
また、簡易スケジュール表示エリア１５０の右方には、詳細スケジュール表示画面を開くためのスケジュールボタン１７０、過去のトレンドを表示する画面を開くためのトレンドボタン１７１、過去の消費電力量表示画面を開くための電力量ボタン１７２等のその他画面を開くためのアイコンが表示されている。これにより、管理画面１００の状態で不足している情報を表示するためのその他の画面へのアクセスを容易にしている。
【００４３】
以上の第２実施形態によれば、多数の熱源機器を有する複数系統の熱源システムを備えた施設内で、各熱源システムの機器構成および各熱源機器の運転制御内容を、予め日ごとに設定したパターンに自動で切り替えて運転させることができる。
【００４４】
上記のように、本実施形態による施設管理システムの設備管理装置は、運転パターンとシステム構成パターンとを分けて設定し、さらにそれらを同一時間軸上に並べて表示させるため、高い視認性と操作性を有する。これにより柔軟な設定操作とシステム構成、運転状況の確認と設定操作を容易に行うことができる。
【００４５】
すなわち、従来は様々な運転パターンにシステム構成を考慮した様々な状態を個々の場合に分けて設定していたが、本実施形態で示したようにシステム構成パターンと運転パターンを表示しそれぞれを設定可能とすることで、これらのパターンの組み合わせにより、設定項目を簡易的に視認性よく表示しつつ、複雑な設定操作を簡易的に行うことができる。また、必要に応じて個々の設定項目へのアクセスも直観的に行うことができ、システムの状態確認および設定操作を容易に行うことができる。
【００４６】
また、システム構成パターン情報について、上記の実施形態では配管バルブの切替によって、システム構成を変更しているが、この他にも、動作する熱源機器のグルーピングを行うことでシステム構成パターンを変更するようにしてもよい。
【００４７】
例えば、第１系統システムの１１−１〜１１−５の内、運転する機器を３台とし残り２台をバックアップ機器とする等の設定を機器構成パターンとして登録してもよい。
【００４８】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【図１】
2020116190.tif 000003
【図２】
2020116190.tif 000004
【図３】
2020116190.tif 000005
【図４】
2020116190.tif 000006
【図５】
2020116190.tif 000007
【図６】
2020116190.tif 000008
【図７】
2020116190.tif 000009
【図８】
2020116190.tif 000010
【国際調査報告】
2020116190.tif 000011
2020116190.tif 000012
2020116190.tif 000013
2020116190.tif 000014